(57)【特許請求の範囲】
【請求項１】
同一番組に関して、第１の放送と該第１の放送より伝送容量または伝送帯域の少ない第２の放送とが階層構造を持って同時に送信されるデジタル放送を受信するデジタル放送受信装置において、
上記デジタル放送の上記第１の放送から所望の番組を受信して第１の映像信号と第１の音声信号を生成し、該第１の映像信号を第１の映像表示部に表示し該第１の音声信号を第１の音声出力部に出力するとともに、上記デジタル放送の上記第２の放送から所望の番組を受信して第２のデジタル信号を生成する第１の受信部と、
該第１の受信部にて生成した上記第２のデジタル信号を受信して第２の映像信号と第２の音声信号を生成し、該第２の映像信号を第２の映像表示部に表示し該第２の音声信号を第２の音声出力部に出力する第２の受信部とを備え、
該第２の受信部は上記第１の受信部に対して、上記第１の放送及び上記第２の放送からそれぞれ所望する番組を受信するための制御信号を送信することを特徴とするデジタル放送受信装置。
【請求項２】
同一番組に関して、第１の放送と該第１の放送より伝送容量または伝送帯域の少ない第２の放送とが階層構造を持って同時に送信されるデジタル放送を受信するデジタル放送受信装置において、
上記デジタル放送の上記第１の放送から所望の番組を受信して第１の映像信号と第１の音声信号を生成し、該第１の映像信号を第１の映像表示部に表示し該第１の音声信号を第１の音声出力部に出力する第１の受信部と、
上記デジタル放送の上記第２の放送から所望の番組を受信して第２の映像信号と第２の音声信号を生成し、該第２の映像信号を第２の映像表示部に表示し該第２の音声信号を第２の音声出力部に出力する第２の受信部とを備え、
該第２の受信部は上記第１の受信部に対して、該第１の受信部にて所望する番組を受信するための制御信号を送信することを特徴とするデジタル放送受信装置。
【請求項３】
請求項１または請求項２記載のデジタル放送受信装置において、
前記第２の受信部を携帯可能なリモコンに組み込んで構成することを特徴とするデジタル放送受信装置。
【発明の詳細な説明】
【技術分野】
【０００１】
本発明はデジタル放送を受信するデジタル放送受信装置に関するものであり、特に階層伝送により同一内容の番組を高品質な信号と低品質な信号の階層に分けて同時に伝送された放送を受信するのに好適なデジタル放送受信装置に関する。
【背景技術】
【０００２】
日本の地上デジタルテレビジョン（以下、ＩＳＤＢ−Ｔと略す）放送では１３個のセグメントを最大３階層に分けて伝送することが可能であり、その中でも１セグメントを使用した携帯受信用放送と１２セグメントを使用した固定受信用放送の２階層伝送方式により、同一内容の番組の放送（以下、サイマル放送と略す）が実施される予定である。図９は、ＩＳＤＢ−Ｔ放送における放送信号の周波数帯域を示す図である。１セグメントを使用する携帯受信用放送信号は、周波数帯の中心に配置して伝送する。携帯受信装置は、この中心の周波数帯だけを抽出するだけで受信・復調することが可能である（これを部分受信という）。残りの１２セグメントは、伝送時に周波数インターリーブがかけられている。一般に携帯受信用放送では、固定受信用放送よりも伝送路妨害に強い伝送方式が採用されている。反面、固定受信用放送よりも伝送できるデータ容量が少ないことから、固定受信用放送よりも映像品質や音声品質が劣っている。
【０００３】
特許文献１には、２階層放送を切り替えて受信するデジタル放送受信機の例が開示されている。この受信機では、映像信号を表示する表示部で提示される画面サイズが、設定されたサイズか或いはこれよりも大きい場合には１３セグメント放送（固定受信用放送）を受信するように制御し、設定されたサイズよりも小さい場合には１セグメント放送（携帯受信用放送）を受信するように制御するものである。
【０００４】
【特許文献１】特開２００４−２８９７１２号公報
【発明の開示】
【発明が解決しようとする課題】
【０００５】
上記特許文献１によれば、受信機の表示部の画面サイズに応じて固定受信用放送か携帯受信用放送とを切り替えるもので、ユーザの使用形態に応じて表示品質を切り替えることができる。しかしながら、受信系統は選択した１系統の信号を受信して表示するだけである。階層放送では、複数系統で同一内容の番組の放送が同時になされるものであり、このサイマル放送の特徴を生かした新たな機能を持つ受信装置が要望される。例えば、複数系統の受信が可能な受信装置とすれば、親画面と子画面などの複数番組表示において、画面切替等において使い勝手の向上が期待できる。しかしながら、複数番組表示を行うためには画面数だけ受信部の数を増設せねばならず、単純には受信機が高価となってしまう。
【０００６】
本発明は、携帯受信用放送と固定受信用放送のような伝送容量または伝送帯域の異なる階層構造方式の放送を受信する際、高機能で使い勝手の良い、かつ低価格なデジタル放送受信装置を提供することを目的とする。
【課題を解決するための手段】
【０００７】
上記目的を達成するために、本発明のデジタル放送受信装置は、同一番組に関して、第１の放送と該第１の放送より伝送容量または伝送帯域の少ない第２の放送とが階層構造を持って同時に送信されるデジタル放送を受信する装置であって、第１の放送から所望の番組を受信して第１の映像信号を生成する第１の受信部と、第２の放送から所望の番組を受信して第２の映像信号を生成する第２の受信部と、第１の映像信号と第２の映像信号を合成して同一の映像表示部に表示させる映像合成部とを備え、映像合成部は、第１の映像信号を映像表示部の第１の画面に表示させ、第２の映像信号を第１の画面よりも画面サイズの小さい第２の画面に表示させる。
【０００８】
本発明のデジタル放送受信装置は、さらに、デジタル放送の第２の放送から所望の番組を受信して第３の映像信号を生成する第３の受信部を備え、映像合成部は、上記第１の映像信号を映像表示部の第１の画面に表示させ、上記第２の映像信号または第３の映像信号を第１の画面よりも画面サイズの小さい第２の画面または第３の画面に表示させる。
【０００９】
本発明のデジタル放送受信装置において、前記映像表示部の前記第１の画面と前記第２の画面に表示されている番組を入れ替える場合、第１の画面には第１の受信部からの番組Ａを表示し、第２の画面には第２の受信部からの番組Ｂを表示し、かつ第３の受信部は番組Ａを受信している第１の状態から、第１の受信部にて番組Ｂを受信して第１の画面に表示し、第２の画面には第３の受信部からの番組Ａを表示する第２の状態に切り替える。
【発明の効果】
【００１０】
本発明によれば、階層構造方式の放送を受信するための高機能で使い勝手の良い、かつ低価格なデジタル放送受信装置を提供することができる。
【発明を実施するための最良の形態】
【００１１】
以下、本発明の実施の形態として、伝送容量または伝送帯域の異なる携帯受信用放送と固定受信用放送とが階層構造方式にてサイマル放送されているＩＳＤＢ−Ｔ放送を受信するデジタル放送受信装置を例に、図面を用いて詳細に説明する。
【実施例１】
【００１２】
図１は、本発明に係るデジタル放送受信装置の第１の実施例を示すブロック図である。１０１はアンテナ、１０２は増幅分配部、１０３は１３セグメントからなる固定受信用放送の受信部（以下、フルセグ受信部と略す）、１０４は１セグメントからなる携帯受信用放送の受信部（以下１セグ受信部と略す）、１０５は映像信号合成部、１０６は映像表示部、１０７は音声信号切替部、１０８は音声出力部、１１８は制御部、１１９は操作信号入力部である。なお、映像表示部１０６と音声出力部１０８は具体的にはディスプレイやスピーカであり、外部装置として接続してもよい。フルセグ受信部１０３は、フルセグ選局部１０９、フルセグ復調部１１０、デスクランブル部１１１、フルセグ側のデマックス部１１２、フルセグ側のデコード部１１３で構成される。１セグ受信部１０４は、１セグ選局部１１４、１セグ復調部１１５、１セグ側のデマックス部１１６、１セグ側のデコード部１１７で構成される。
【００１３】
このように、受信系統として、フルセグ専用の受信部１０３と１セグ専用の受信部１０４の２系統を備える。ここに携帯受信用放送（１セグ放送）は、固定受信用放送（フルセグ放送）よりも伝送周波数帯域が狭くまた伝送データ容量が少ない。よって１セグ受信部１０４は、フルセグ受信部１０３よりも周波数帯域が狭い分だけ構成・機能を簡素化して装置全体の低価格化を図ることができる。
【００１４】
以下、本実施例の受信装置の動作を説明する。アンテナ１０１で受信されたＩＳＤＢ−Ｔ放送は、増幅分配部１０２で増幅されフルセグ受信部１０３と１セグ受信部１０４に分配される。フルセグ受信部１０３では、フルセグ選局部１０９で所望の番組の１３セグメント周波数帯域を抽出しフルセグ復調部１１０に出力する。フルセグ復調部１１０では、１３セグメントのＩＳＤＢ−Ｔ信号を復調し、トランスポートストリーム（以下、ＴＳと略す）信号をデスクランブル部１１１に出力する。デスクランブル部１１１では、著作権保護のためにスクランブルのかけられているＴＳ信号のスクランブルを解除してデマックス部１１２に出力する。デマックス部１１２では、所望の圧縮された映像信号や圧縮された音声信号のデジタル信号を抽出しデコード部１１３に出力する。デコード部１１３では、圧縮された映像信号や圧縮された音声信号を復号し、復号された映像信号は映像信号合成部１０５に、復号された音声信号は音声切替部１０７に出力する。
【００１５】
他方、１セグ受信部１０４では、１セグ選局部１１４で所望の番組の携帯受信用放送である１セグメント部分の周波数帯域を抽出・部分受信し１セグ復調部１１５に出力する。１セグ復調部１１５では、ＩＳＤＢ−Ｔ信号の携帯受信用放送である１セグメントを復調しＴＳ信号をデマックス部１１６に出力する。デマックス部１１６では、所望の圧縮された映像信号や圧縮された音声信号のデジタル信号を抽出してデコード部１１７に出力する。デコード部１１７では、圧縮された映像信号や圧縮された音声信号を復号し、復号された映像信号は映像信号合成部１０５に、復号された音声信号は音声信号切替部１０７に出力する。
【００１６】
制御部１１８は入力端子１１９からの操作信号により制御され、フルセグ受信部１０３と１セグ受信部１０４に対して、それぞれが所望の番組を選局するための制御信号を送る。映像信号合成部１０５では、制御部１１８からの制御信号を受け、フルセグ受信部１０３からの映像信号（番組）と１セグ受信部１０４からの映像信号（番組）を、それぞれ親画面（以下、メイン画面）と子画面（以下、サブ画面）の信号として合成し、映像表示部１０６に出力する。映像表示部１０６では、合成された映像信号からメイン画面とサブ画面の映像を表示する。他方、音声信号切替部１０７では、制御部１１８からの制御信号を受け、フルセグ受信部１０３からの音声信号と１セグ受信部１０４からの音声信号を切り替えて（選択して）音声出力部１０８から出力する。
【００１７】
図２は、映像表示部１０６に表示される画面構成の一例を示す図である。２０１がメイン画面、２０２がサブ画面である。サブ画面２０２は１セグ受信部１０４からの映像信号を表示するので、映像品質に合わせて、メイン画面２０１のサイズよりも小さくしている。なお、図２の例ではメイン画面２０１の中にサブ画面２０２を表示する構成になっているが、これに限らず、メイン画面とサブ画面が別々に表示され、メイン画面のサイズがサブ画面のサイズよりも同等以上で表示されてもよい。
【００１８】
図２の画面表示において、入力端子１１９からのユーザ操作信号により、以下の基本操作が可能である。
【００１９】
（１）１画面表示の場合。フルセグ受信部１０３からの映像信号Ａを映像表示部１０６のメイン画面２０１に表示するとともに、フルセグ受信部１０３からの音声信号を音声出力部１０８から出力する。
【００２０】
（２）２画面表示の場合。フルセグ受信部１０３からの映像信号（番組）Ａを映像表示部１０６のメイン画面２０１に表示し、１セグ受信部１０４からの映像信号（番組）Ｂを映像表示部１０６のサブ画面２０２に表示するとともに、フルセグ受信部１０３からの音声信号を音声出力部１０８から出力する。なお、この時１セグ受信部１０４からの音声信号を、音声出力部１０８とは別に設けた例えばヘッドフォン端子などから出力してもよい。また、この時表示するメイン画面２０１（すなわちフルセグ受信部１０３）とサブ画面２０２（すなわち１セグ受信部１０４）は独立に番組選局が可能である。
【００２１】
（３）２画面表示で番組を移動する場合。サブ画面２０２で表示されていた番組Ｂをメイン画面２０１に表示（移動）し、サブ画面２０２を消去する。これは、サブ画面２０２で表示されていた番組Ｂの選局情報によりフルセグ選局部１０９などを制御して、フルセグ受信部１０３にて番組Ｂを受信する。そして映像信号合成部１０５は、フルセグ受信部１０３からの映像信号Ｂをメイン画面とする１画面表示をする。
【００２２】
音声信号切替部１０７は、常にフルセグ受信部１０３からの音声信号を出力する。または、まず１セグ受信部１０４からの音声信号Ｂに切り替え、その後映像信号合成部１０５が映像信号Ｂをメイン画面に表示するタイミングに同期して、フルセグ受信部１０３からの音声信号Ｂに切り替える。なおこの時、フルセグ受信部１０３と１セグ受信部１０４との映像信号や音声信号には、時間差ずれのないように調整されていることが望ましい。後者の方法では、フルセグ選局部１０９が番組Ｂを選局動作している期間においても、１セグ受信部１０４からの音声信号Ｂを出力できるので、メイン画面２０１側の番組の音声出力が途切れない効果がある。
【００２３】
（４）２画面表示で番組を入れ替える場合。メイン画面２０１で表示されていた番組Ａとサブ画面２０２で表示されていた番組Ｂを入れ替える。サブ画面２０２で表示されていた番組Ｂの選局情報によりフルセグ選局部１０９などを制御し、フルセグ受信部１０３にて番組Ｂを受信する。また、メイン画面２０１で表示されていた番組Ａの選局情報により１セグ選局部１１４などを制御して、１セグ受信部１０４にて番組Ａを受信する。その間、映像信号合成部１０５は２画面表示を継続し、音声信号切替部１０７はフルセグ受信部１０３からの音声信号を出力する。
【００２４】
他の制御方法を説明する。サブ画面２０２で表示されていた番組Ｂの選局情報によりフルセグ選局部１０９などを制御し、フルセグ受信部１０３にて番組Ｂを選局・受信する。同時に音声信号切替部１０７は、１セグ受信部１０４からの音声信号Ｂに切り替え、フルセグ受信部１０３が番組Ｂを受信できたタイミングに同期してフルセグ受信部１０３からの音声信号Ｂに切り替える。その後、メイン画面２０１で表示されていた番組Ａの選局情報により１セグ選局部１１４などを制御し、１セグ受信部１０４にて番組Ａを選局・受信する。なおこの時、フルセグ受信部１０３と１セグ受信部１０４との映像信号や音声信号には、時間差ずれのないように調整されていることが望ましい。後者の制御方法では、フルセグ選局部１０９が番組Ｂを選局動作している期間においても、１セグ受信部１０４からの音声信号Ｂを出力できるので、メイン画面２０１側の番組の音声出力が途切れない効果がある。
【００２５】
以上、本実施例のデジタル放送受信装置の構成によれば、サブ画面（子画面）表示の機能を１セグ専用の簡単な受信部にて実現できるため、低価格で高機能なデジタル放送受信装置を提供することができる。
【００２６】
なお、本実施例は１セグ受信部を１系統設けた構成であるが、１セグ受信部を複数系統設ければ、独立した複数のサブ画面表示（マルチサブ画面表示）とすることができる。
【実施例２】
【００２７】
図３は、本発明に係るデジタル放送受信装置の第２の実施例を示すブロック図である。本実施例では、前記実施例１（図１）の構成に対し、１セグ受信部をさらに１系統追加して２系統とした構成である。前記図１と同一機能の要素には同一符号を付す。３０１は増幅分配部、３０２は追加した１セグ受信部、３０３は映像信号合成部、３０４は音声信号切替部である。追加した１セグ受信部３０２は、１セグ選局部３０５、１セグ復調部３０６、１セグ側のデマックス部３０７、１セグ側のデコード部３０８で構成され、それらは図１の１セグ受信部１０４の構成と同様である。以下、図１の１セグ受信部１０４を第１の１セグ受信部、追加した１セグ受信部３０２を第２の１セグ受信部と呼ぶ。
【００２８】
アンテナ１０１で受信されたＩＳＤＢ−Ｔ放送は増幅分配部３０１で増幅されフルセグ受信部１０３、第１の１セグ受信部１０４、第２の１セグ受信部３０２に分配される。第２の１セグ受信部３０２の動作は、第１の１セグ受信部１０４の動作と同様であるが、互いに独立して動作する。各受信部内のデコード部１１３，１１７，３０８で復号された映像信号は映像信号合成部３０３に、復号された音声信号は音声切替部３０４に出力される。
【００２９】
制御部１１８は、フルセグ受信部１０３と第１の１セグ受信部１０４及び第２の１セグ受信部３０２に対して、それぞれが所望の番組を選局するための制御信号を送る。映像信号合成部３０３では、制御部１１８からの制御信号を受け、フルセグ受信部１０３からの映像信号と第１及び第２の１セグ受信部１０４，３０２のいずれか一方からの映像信号を、それぞれメイン画面とサブ画面の信号として合成し、映像表示部１０６に出力する。音声信号切替部３０４では、制御部１１８からの制御信号を受け、フルセグ受信部１０３からの音声信号と第１、第２の１セグ受信部１０４，３０２からの音声信号を切り替えて音声出力部１０８から出力する。
【００３０】
本実施例の受信装置によれば、前記実施例１で述べた（４）の操作（２画面表示で画面を入れ替える場合）をより快適に実行することができる。以下、それを説明する。
【００３１】
図４は、２画面表示で番組を入れ替える場合の操作の一例を説明する図である。ここでは、メイン画面２０１で表示されていた番組Ａとサブ画面２０２で表示されていた番組Ｂを入れ替える場合である。符号４０１は映像表示部１０６には表示されていないサブ画面エリアであり、ここでは「裏サブ画面」と呼ぶ。
【００３２】
図４（ａ）は初期状態を示す。
（ａ１）メイン画面２０１にはフルセグ受信部１０３からの番組Ａが表示されている。
（ａ２）サブ画面２０２には第１の１セグ受信部１０４からの番組Ｂが表示されている。
（ａ３）音声出力部１０８にはフルセグ受信部１０３からの音声番組Ａが出力されている。
（ａ４）第２の１セグ受信部３０２はフルセグ受信部１０３と同じ番組を受信するよう制御されているとする。すなわち、第２の１セグ受信部３０２は番組Ａを裏サブ画面４０１に出力している。
【００３３】
図４（ｂ）は、画面操作の途中段階を示す。メイン画面２０１の番組Ａとサブ画面２０２の番組Ｂを入れ替える指示を受けると、
（ｂ１）音声信号切替部３０４は、第１の１セグ受信部１０４からの音声番組Ｂを出力するように切り替える。
（ｂ２）制御部１１８は、フルセグ選局部１０９を制御してフルセグ受信部１０３にて番組Ｂを選局・受信させる。
（ｂ３）映像信号合成部３０３は、裏サブ画面４０１に出力していた第２の１セグ受信部３０２からの番組Ａをサブ画面２０２に表示し、また、サブ画面２０２に表示していた第１の１セグ受信部１０４からの番組Ｂを裏サブ画面４０１に出力する（表示停止する）。
【００３４】
図４（ｃ）は、操作完了状態を示す図である。
（ｃ１）フルセグ受信部１０３にて番組Ｂが選局・受信されると、メイン画面２０１には番組Ｂが表示される。
（ｃ２）音声信号切替部３０４は、フルセグ受信部１０３からの音声番組Ｂに切り替える。
【００３５】
上記操作の結果、第１及び第２の１セグ受信部１０４，３０２はその機能が入れ替わる。すなわち、第１の１セグ受信部１０４からの番組は裏サブ画面４０１となり、フルセグ受信部１０３と同じ番組を受信するように制御される。第２の１セグ受信部３０２からの番組は、サブ画面２０２に表示される。
【００３６】
なおこの時、フルセグ受信部１０３と第１及び第２の１セグ受信部１０４，３０２との映像信号や音声信号には時間差ずれのないように調整されていることが望ましい。
【００３７】
本実施例によれば、サブ画面２０２側の番組切り替え（番組Ｂから番組Ａへ）はフルセグ受信部１０３の選局動作の影響を受けず瞬時に行える。また、番組Ａの映像については、メイン画面２０１からサブ画面２０２に途切れなく表示できるという効果がある。また、メイン画面２０１側の音声出力切替も選局動作の影響を受けず音声が途切れない。さらに、サブ画面２０２の番組の音声を、音声出力部１０８とは別の、例えばヘッドフォン端子などから出力する場合は、この音声も途切れないで出力することが可能である。
【００３８】
図５は、図４の変形例であり、２画面表示で画面を入れ替える場合の操作の他の例を説明する図である。ここでは、画面上にサブ画面（第１のサブ画面）２０２とともに第２のサブ画面５０１を追加して表示できるようにしている。そのため制御部１１８は、映像合成部３０３に対して第１及び第２の１セグ受信部１０４，３０２からの映像を第１のサブ画面２０２と第２のサブ画面５０１に表示できるように制御する。
【００３９】
この場合の操作を説明する。図５（ａ）は初期状態で、図４（ａ）と同様である。図５（ｂ）は操作の途中段階を示す。図４（ｂ）と異なる点は、映像信号合成部３０３は、裏サブ画面４０１に出力していた第２の１セグ受信部３０２からの番組Ａを第１のサブ画面２０２に表示し、また、第１のサブ画面２０２に表示していた第１の１セグ受信部１０４からの番組Ｂを第２のサブ画面５０１に表示することである。
【００４０】
図５（ｃ）は、操作完了状態を示す図である。図４（ｃ）と異なる点は、フルセグ受信部１０３にて受信された番組Ｂがメイン画面２０１に表示されると、映像信号合成部３０３は、第２のサブ画面５０１に表示されていた第１の１セグ受信部１０４からの番組Ｂを裏サブ画面４０１に出力する（表示停止する）ことである。
【００４１】
本実施例によれば、図４を改良し、フルセグ受信部１０３にて番組Ｂを選局動作中においても、番組Ｂを第２のサブ画面５０１に表示できるので、番組Ｂの映像が途切れることがないという効果がある。また番組Ａの映像については、図４と同様に、メイン画面２０１から第１のサブ画面２０２に途切れなく表示できる。
【００４２】
なお、図５の実施例では、第２のサブ画面５０１は第１のサブ画面２０２と同様の小さなサイズで表示させたが、メイン画面２０１と同等の大きなサイズで表示してもよい。その場合には、番組Ｂは第２のサブ画面５０１からメイン画面２０１に同じ画面サイズで切り替わるので、見掛け上メイン画面上での映像の途切れをなくすことができる。
【実施例３】
【００４３】
図６は、本発明に係るデジタル放送受信装置の第３の実施例を示すブロック図である。本実施例では、前記実施例１（図１）の構成において、１セグ受信部１０４のデマックス部１１６以降の部分を装置本体から分離し、本体側をメイン受信部６１２、分離した側をサブ受信部６１３とした。サブ受信部６１３は例えば携帯可能なリモコンに内蔵し、メイン受信部６１２（本体側）の操作を可能とした構成である。メイン受信部６１２とサブ受信部６１３の間は、送受信部６０５，６０８と送受信アンテナ６０６，６０７を介して信号を伝送する。
【００４４】
メイン受信部６１２は、アンテナ１０１、増幅分配部１０２、フルセグ受信部１０３、映像表示部６０１、音声出力部６０２、１セグ選局部１１４、１セグ復調部１１５、送受信部６０５、送受信アンテナ６０６、制御部６１１を有する。そして映像表示部６０１と音声出力部６０２には、フルセグ受信部１０３にて受信した番組の映像信号と音声信号を表示・出力する。
【００４５】
サブ受信部６１３は、送受信アンテナ６０７、送受信部６０８、１セグ側のデマックス部１１６、１セグ側のデコード部１１７、映像表示部６０３、音声出力部６０４、操作部６０９、操作信号入力部６１０を有する。そして映像表示部６０３と音声出力部６０４には、１セグ受信部１０４にて受信した番組の映像信号と音声信号を表示・出力する。
【００４６】
また、サブ受信部６１３側の操作信号入力端子６１０から入力した操作信号を操作部６０９で伝送信号に変換し、送受信部６０５，６０８、送受信アンテナ６０６，６０７を介してメイン受信部６１２側の制御部６１１に伝送し、選局・受信の制御を行う。
【００４７】
この場合の操作信号により次の制御を行うことができる。
（１）フルセグ受信部１０３及び１セグ受信部１０４における番組選局を制御する。
（２）メイン受信部６１２で表示・出力する番組を、サブ受信部６１３で現在表示・出力している番組に切り替える。
（３）サブ受信部６１３で記憶している１セグ放送の電子番組情報に基づき、（１）の番組選局を切り替える。
【００４８】
本実施例では、サブ受信部６１３を携帯可能なリモコン等に組み込むことにより、１セグ放送番組を装置本体とは独立して手元に表示しその音声を出力できる。また、装置本体のメイン受信部６１２の選局・受信の制御を手元リモコン等から行うことができ、操作が容易になる。
【００４９】
なお、本実施例の送受信部６０５，６０８、送受信アンテナ６０６，６０７における送信方式は、任意に設定できる。例えばサブ受信部６１３からの送信には赤外線を、メイン受信部６１２からの送信には無線ＬＡＮを用いることができる。
【００５０】
図７は、図６のデジタル放送受信装置の変形例を示すブロック図である。図６と異なる点は、１セグ受信部１０４をデマックス部１１６とデコーダ部１１７の間で分離し、装置本体側をメイン受信部７０３、分離した側をサブ受信部７０４としたことである。メイン受信部７０３には記憶部７０１を有し、サブ受信部７０４との信号伝送は送受信部７０２を介して行う。他の構成は図６と同様である。
【００５１】
１セグ受信部１０４のデマックス部１１６がメイン受信部７０３側にあるため、１セグ放送の電子番組情報はメイン受信部７０３の記憶部７０１、すなわち装置本体側で記憶される。記憶した電子番組情報は、送受信部７０２，６０８、送受信アンテナ６０６，６０７を介してサブ受信部７０４に伝送される。
【００５２】
図７の実施例によれば、サブ受信部７０４を組み込んだリモコン等の電源が切られていても（または、信号伝送できない位置であっても）、１セグ放送の電子番組情報を装置本体側にて記憶できる利点がある。
【００５３】
なお、上記実施例は１セグ受信部を１系統設けた構成であるが、１セグ受信部を複数系統設けそれに対応して複数のサブ受信部を構成すれば、独立した複数のリモコンにて表示及び操作することが可能となる。
【実施例４】
【００５４】
図８は、本発明に係るデジタル放送受信装置の第４の実施例を示すブロック図である。本実施例では、フルセグ受信部１０３を含むメイン受信部８０１と、１セグ受信部１０４を含むサブ受信部８０３を独立させ、サブ受信部８０３にもＩＳＤＢ−Ｔ放送を受信するアンテナ８０２を設けたことである。そして、メイン受信部８０１とサブ受信部８０３との間では、送受信部６０５，６０８と送受信アンテナ６０６，６０７を介して制御信号の伝送を行う。
【００５５】
本実施例では、サブ受信部８０３は独立した１セグ受信機として機能するとともに、サブ受信部８０３側にてメイン受信部８０１の選局操作などの制御を行うことができる。本実施例では、送受信部６０５，６０８は制御信号を伝送するだけなので、伝送レートの低い送信方式を利用できる。
【００５６】
以上、本発明によるデジタル放送受信装置の各種実施例を述べたが、各実施例はそれぞれ単独でも、また他の実施例と適宜組合わせて適用することも可能である。これにより、例えば、２画面表示における番組入れ替えを携帯可能なリモコンから操作することができる。その際、受信部の具体的構成や選局・受信・表示動作は適宜決定すればよい。
【００５７】
上記各実施例の構成は一例であり、本発明の要旨を変えない範囲で、対象とする放送信号方式や受信装置の仕様に応じて適宜変更可能である。すなわち放送信号はＩＳＤＢ−Ｔ放送に限定されず、階層構造にてサイマル放送されるデジタル放送に広く適用可能であり、受信するセグメント数（フルセグおよび１セグ）も限定するものではない。また受信部として高品質な信号を受信する第１の受信部と、低品質な信号を受信する第２の受信部を備えるが、第２の受信部は、装置仕様に応じて必要とされる数の複数系統とすればよい。
【図面の簡単な説明】
【００５８】
【図１】本発明に係るデジタル放送受信装置の第１の実施例を示すブロック図。
【図２】映像表示部１０６に表示される画面構成の一例を示す図。
【図３】本発明に係るデジタル放送受信装置の第２の実施例を示すブロック図。
【図４】２画面表示で画面を入れ替える場合の操作の一例を説明する図。
【図５】２画面表示で画面を入れ替える場合の操作の他の例を説明する図。
【図６】本発明に係るデジタル放送受信装置の第３の実施例を示すブロック図。
【図７】図６のデジタル放送受信装置の変形例を示すブロック図。
【図８】本発明に係るデジタル放送受信装置の第４の実施例を示すブロック図。
【図９】ＩＳＤＢ−Ｔ放送における放送信号の周波数帯域を示す図。
【符号の説明】
【００５９】
１０１，８０２…アンテナ、
１０２，３０１…増幅分配部、
１０３…１３セグメント（フルセグ）受信部、
１０４，３０２…携帯受信用放送（１セグ）受信部、
１０５，３０３…映像信号合成部、
１０６，６０１，６０３…映像表示部、
１０７，３０４…音声信号切替部、
１０８，６０２，６０４…音声出力部、
１０９，１１４，３０２…選局部、
１１０，１１５，３０６…復調部、
１１１…デスクランブル部、
１１２，１１６，３０７…デマックス部、
１１３，１１７，３０８…デコード部、
１１８，６１１…制御部、
１１９，６１０…操作信号入力部、
６０５，６０８，７０２…送受信部、
６０６，６０７…送受信アンテナ、
６０９…操作部、
６１２，７０３，８０１…メイン受信部、
６１３，７０４，８０３…サブ受信部、
７０１…記憶部。
【図１】
0004621125.tif 000002
【図２】
0004621125.tif 000003
【図３】
0004621125.tif 000004
【図４】
0004621125.tif 000005
【図５】
0004621125.tif 000006
【図６】
0004621125.tif 000007
【図７】
0004621125.tif 000008
【図８】
0004621125.tif 000009
【図９】
0004621125.tif 000010